(57)【要約】【課題】カード等による決済におけるカード情報の伝達の際の負担を軽減する。【解決手段】ＩＣカード１０に複数のカードの暗証番号などを記録しておく。ＩＣカード利用端末２０は、ＩＣカード１０から決済に必要な暗証番号を受けて、決済の操作を決済装置５０に対して行う。これにより、ＩＣカード１０に複数のカード（キャッシュカード等）を集約できて、利用者がカードごとに異なった暗証番号を入力するなどといった負担が無くなる。しかも、ＩＣカード１０をＩＣカード認証装置３０により認証してから決済に使用できるようにするので、ＩＣカード１０の盗用等も防止できる。【選択図】  図１
2004295796.tif 000002
【特許請求の範囲】
【請求項１】
利用者の決済を認証するための決済認証情報を複数種類、各決済サービスごとに記録する決済認証情報記録手段と、
利用する決済サービスに応じて、前記決済認証情報を読み出す決済認証情報読出手段と、
を備えた決済認証情報記録器。
【請求項２】
請求項１に記載の決済認証情報記録器であって、
前記決済認証情報は、金融機関に設けた口座の暗証番号である、
決済認証情報記録器。
【請求項３】
請求項１に記載の決済認証情報記録器であって、
前記決済認証情報は、クレジットカードのカード番号である、
決済認証情報記録器。
【請求項４】
各決済サービスごとの決済手順を記録する決済手順記録手段と、
請求項１ないし３のいずれか一項に記載の決済認証情報記録器における決済認証情報読出手段から前記決済認証情報を受け、前記決済手順記録手段から前記決済手順を読出し、前記決済認証情報および前記決済手順に基づき、決済に関する操作を行う決済操作手段と、
を備えた決済操作装置。
【請求項５】
請求項４に記載の決済操作装置であって、
前記決済認証情報記録器自体を認証するための記録器認証情報の入力を求める記録器認証情報入力手段を備え、
前記決済操作手段は、前記決済認証情報記録器自体の認証が成立した場合にのみ決済に関する操作を行う、
決済操作装置。
【請求項６】
請求項１ないし３のいずれか一項に記載の決済認証情報記録器の認証を行うための情報を記録する記録器認証情報記録手段と、
請求項５に記載の決済操作装置における記録器認証情報入力手段から記録器認証情報を受け、前記記録器認証情報記録手段の記録内容と照合して、前記決済認証情報記録器の認証を行う記録器認証手段と、
を備えた情報記録器認証装置。
【請求項７】
請求項６に記載の情報記録器認証装置であって、
前記記録器認証情報はパスワードである、
情報記録器認証装置。
【請求項８】
請求項６に記載の情報記録器認証装置であって、
前記記録器認証情報は前記決済認証情報記録器の識別情報であり、
前記記録器認証情報記録手段は、前記識別情報ごとに認証の可否を記録する、
情報記録器認証装置。
【請求項９】
請求項４に記載の決済操作装置における決済操作手段から決済に関する情報を受けて記録する決済記録手段を備えた決済記録装置。
【請求項１０】
請求項９に記載の決済記録装置であって、
前記決済記録手段の更新に応じて、決済が行われた旨を、請求項１ないし３のいずれか一項に記載の決済認証情報記録器の利用者に報知する決済報知手段、
を備えた決済記録装置。
【請求項１１】
請求項９に記載の決済記録装置であって、
前記決済記録手段の記録内容を、請求項１ないし３のいずれか一項に記載の決済認証情報記録器の利用者ごとに集計する決済集計手段、
を備えた決済記録装置。
【請求項１２】
利用者の決済を認証するための決済認証情報を複数種類、各決済サービスごとに記録する決済認証情報記録工程と、
利用する決済サービスに応じて、前記決済認証情報を読み出す決済認証情報読出工程と、
を備えた決済認証情報記録方法。
【請求項１３】
各決済サービスごとの決済手順を記録する決済手順記録工程と、
請求項１ないし３のいずれか一項に記載の決済認証情報記録器における決済認証情報読出手段から前記決済認証情報を受け、前記決済手順記録工程における前記決済手順を読出し、前記決済認証情報および前記決済手順に基づき、決済に関する操作を行う決済操作工程と、
を備えた決済操作方法。
【請求項１４】
請求項１ないし３のいずれか一項に記載の決済認証情報記録器の認証を行うための情報を記録する記録器認証情報記録工程と、
請求項５に記載の決済操作装置における記録器認証情報入力手段から記録器認証情報を受け、前記記録器認証情報記録工程の記録内容と照合して、前記決済認証情報記録器の認証を行う記録器認証工程と、
を備えた情報記録器認証方法。
【請求項１５】
請求項４に記載の決済操作装置における決済操作手段から決済に関する情報を受けて記録する決済記録工程を備えた決済記録方法。
【請求項１６】
利用者の決済を認証するための決済認証情報を複数種類、各決済サービスごとに記録する決済認証情報記録処理と、
利用する決済サービスに応じて、前記決済認証情報を読み出す決済認証情報読出処理と、
をコンピュータに実行させるためのプログラム。
【請求項１７】
各決済サービスごとの決済手順を記録する決済手順記録処理と、
請求項１ないし３のいずれか一項に記載の決済認証情報記録器における決済認証情報読出手段から前記決済認証情報を受け、前記決済手順記録処理における前記決済手順を読出し、前記決済認証情報および前記決済手順に基づき、決済に関する操作を行う決済操作処理と、
をコンピュータに実行させるためのプログラム。
【請求項１８】
請求項１ないし３のいずれか一項に記載の決済認証情報記録器の認証を行うための情報を記録する記録器認証情報記録処理と、
請求項５に記載の決済操作装置における記録器認証情報入力手段から記録器認証情報を受け、前記記録器認証情報記録処理の記録内容と照合して、前記決済認証情報記録器の認証を行う記録器認証処理と、
をコンピュータに実行させるためのプログラム。
【請求項１９】
請求項４に記載の決済操作装置における決済操作手段から決済に関する情報を受けて記録する決済記録処理をコンピュータに実行させるためのプログラム。
【請求項２０】
利用者の決済を認証するための決済認証情報を複数種類、各決済サービスごとに記録する決済認証情報記録処理と、
利用する決済サービスに応じて、前記決済認証情報を読み出す決済認証情報読出処理と、
をコンピュータに実行させるためのプログラムを記録したコンピュータによって読み取り可能な記録媒体。
【請求項２１】
各決済サービスごとの決済手順を記録する決済手順記録処理と、
請求項１ないし３のいずれか一項に記載の決済認証情報記録器における決済認証情報読出手段から前記決済認証情報を受け、前記決済手順記録処理における前記決済手順を読出し、前記決済認証情報および前記決済手順に基づき、決済に関する操作を行う決済操作処理と、
をコンピュータに実行させるためのプログラムを記録したコンピュータによって読み取り可能な記録媒体。
【請求項２２】
請求項１ないし３のいずれか一項に記載の決済認証情報記録器の認証を行うための情報を記録する記録器認証情報記録処理と、
請求項５に記載の決済操作装置における記録器認証情報入力手段から記録器認証情報を受け、前記記録器認証情報記録処理の記録内容と照合して、前記決済認証情報記録器の認証を行う記録器認証処理と、
をコンピュータに実行させるためのプログラムを記録したコンピュータによって読み取り可能な記録媒体。
【請求項２３】
請求項４に記載の決済操作装置における決済操作手段から決済に関する情報を受けて記録する決済記録処理をコンピュータに実行させるためのプログラムを記録したコンピュータによって読み取り可能な記録媒体。
【発明の詳細な説明】
【０００１】
【発明の属する技術分野】
本発明は、クレジットカード等による決済に関する。
【０００２】
【従来の技術】
従来より、クレジットカードによる決済を行うオンラインショッピングが広く行われている。このようなオンラインショッピングにおいては、消費者のクレジットカード番号をインターネットを介して販売者に伝えることで決済を行えるようにする（特許文献１（要約）を参照）。
【０００３】
【特許文献１】
特開２００２−１０９４３４号公報（要約）
【発明が解決しようとする課題】
しかしながら、消費者のクレジットカード番号をインターネットを介して販売者に伝えるようにする場合は、利用するサービスごとにクレジットカードを持たねばならず煩わしい。
【０００４】
そこで、本発明は、カード等による決済におけるカード情報の伝達の際の負担を軽減することを課題とする。
【０００５】
【課題を解決するための手段】
請求項１に記載の発明は、利用者の決済を認証するための決済認証情報を複数種類、各決済サービスごとに記録する決済認証情報記録手段と、利用する決済サービスに応じて、決済認証情報を読み出す決済認証情報読出手段とを備えるように構成される。
【０００６】
上記のように構成された発明によれば、決済認証情報記録手段は、利用者の決済を認証するための決済認証情報を複数種類、各決済サービスごとに記録する。決済認証情報読出手段は、利用する決済サービスに応じて、決済認証情報を読み出す。
【０００７】
請求項２に記載の発明は、請求項１に記載の発明であって、決済認証情報は、金融機関に設けた口座の暗証番号であるように構成される。
【０００８】
請求項３に記載の発明は、請求項１に記載の発明であって、決済認証情報は、クレジットカードのカード番号であるように構成される。
【０００９】
請求項４に記載の発明は、各決済サービスごとの決済手順を記録する決済手順記録手段と、請求項１ないし３のいずれか一項に記載の決済認証情報記録器における決済認証情報読出手段から決済認証情報を受け、決済手順記録手段から決済手順を読出し、決済認証情報および決済手順に基づき、決済に関する操作を行う決済操作手段とを備えるように構成される。
【００１０】
上記のように構成された発明によれば、決済手順記録手段は、各決済サービスごとの決済手順を記録する。決済操作手段は、請求項１ないし３のいずれか一項に記載の決済認証情報記録器における決済認証情報読出手段から決済認証情報を受け、決済手順記録手段から決済手順を読出し、決済認証情報および決済手順に基づき、決済に関する操作を行う。
【００１１】
請求項５に記載の発明は、請求項４に記載の決済操作装置であって、決済認証情報記録器自体を認証するための記録器認証情報の入力を求める記録器認証情報入力手段を備え、決済操作手段は、決済認証情報記録器自体の認証が成立した場合にのみ決済に関する操作を行うように構成される。
【００１２】
請求項６に記載の発明は、請求項１ないし３のいずれか一項に記載の決済認証情報記録器の認証を行うための情報を記録する記録器認証情報記録手段と、請求項５に記載の決済操作装置における記録器認証情報入力手段から記録器認証情報を受け、記録器認証情報記録手段の記録内容と照合して、決済認証情報記録器の認証を行う記録器認証手段とを備えるように構成される。
【００１３】
上記のように構成された発明によれば、記録器認証情報記録手段は、請求項１ないし３のいずれか一項に記載の決済認証情報記録器の認証を行うための情報を記録する。記録器認証手段は、請求項５に記載の決済操作装置における記録器認証情報入力手段から記録器認証情報を受け、記録器認証情報記録手段の記録内容と照合して、決済認証情報記録器の認証を行う。
【００１４】
請求項７に記載の発明は、請求項６に記載の発明であって、記録器認証情報はパスワードであるように構成される。
【００１５】
請求項８に記載の発明は、請求項６に記載の発明であって、記録器認証情報は決済認証情報記録器の識別情報であり、記録器認証情報記録手段は、識別情報ごとに認証の可否を記録するように構成される。
【００１６】
請求項９に記載の発明は、請求項４に記載の決済操作装置における決済操作手段から決済に関する情報を受けて記録する決済記録手段を備えるように構成される。
【００１７】
上記のように構成された発明によれば、決済記録手段は、請求項４に記載の決済操作装置における決済操作手段から決済に関する情報を受けて記録する。
【００１８】
請求項１０に記載の発明は、請求項９に記載の発明であって、決済記録手段の更新に応じて、決済が行われた旨を、請求項１ないし３のいずれか一項に記載の決済認証情報記録器の利用者に報知する決済報知手段を備えるように構成される。
【００１９】
請求項１１に記載の発明は、請求項９に記載の発明であって、決済記録手段の記録内容を、請求項１ないし３のいずれか一項に記載の決済認証情報記録器の利用者ごとに集計する決済集計手段を備えるように構成される。
【００２０】
請求項１２に記載の発明は、利用者の決済を認証するための決済認証情報を複数種類、各決済サービスごとに記録する決済認証情報記録工程と、利用する決済サービスに応じて、決済認証情報を読み出す決済認証情報読出工程とを備えるように構成される。
【００２１】
請求項１３に記載の発明は、各決済サービスごとの決済手順を記録する決済手順記録工程と、請求項１ないし３のいずれか一項に記載の決済認証情報記録器における決済認証情報読出手段から決済認証情報を受け、決済手順記録工程における決済手順を読出し、決済認証情報および決済手順に基づき、決済に関する操作を行う決済操作工程とを備えるように構成される。
【００２２】
請求項１４に記載の発明は、請求項１ないし３のいずれか一項に記載の決済認証情報記録器の認証を行うための情報を記録する記録器認証情報記録工程と、請求項５に記載の決済操作装置における記録器認証情報入力手段から記録器認証情報を受け、記録器認証情報記録工程の記録内容と照合して、決済認証情報記録器の認証を行う記録器認証工程とを備えるように構成される。
【００２３】
請求項１５に記載の発明は、請求項４に記載の決済操作装置における決済操作手段から決済に関する情報を受けて記録する決済記録工程を備えるように構成される。
【００２４】
請求項１６に記載の発明は、利用者の決済を認証するための決済認証情報を複数種類、各決済サービスごとに記録する決済認証情報記録処理と、利用する決済サービスに応じて、決済認証情報を読み出す決済認証情報読出処理とをコンピュータに実行させるためのプログラムである。
【００２５】
請求項１７に記載の発明は、各決済サービスごとの決済手順を記録する決済手順記録処理と、請求項１ないし３のいずれか一項に記載の決済認証情報記録器における決済認証情報読出手段から決済認証情報を受け、決済手順記録処理における決済手順を読出し、決済認証情報および決済手順に基づき、決済に関する操作を行う決済操作処理とをコンピュータに実行させるためのプログラムである。
【００２６】
請求項１８に記載の発明は、請求項１ないし３のいずれか一項に記載の決済認証情報記録器の認証を行うための情報を記録する記録器認証情報記録処理と、請求項５に記載の決済操作装置における記録器認証情報入力手段から記録器認証情報を受け、記録器認証情報記録処理の記録内容と照合して、決済認証情報記録器の認証を行う記録器認証処理とをコンピュータに実行させるためのプログラムである。
【００２７】
請求項１９に記載の発明は、請求項４に記載の決済操作装置における決済操作手段から決済に関する情報を受けて記録する決済記録処理をコンピュータに実行させるためのプログラムである。
【００２８】
請求項２０に記載の発明は、利用者の決済を認証するための決済認証情報を複数種類、各決済サービスごとに記録する決済認証情報記録処理と、利用する決済サービスに応じて、決済認証情報を読み出す決済認証情報読出処理とをコンピュータに実行させるためのプログラムを記録したコンピュータによって読み取り可能な記録媒体である。
【００２９】
請求項２１に記載の発明は、各決済サービスごとの決済手順を記録する決済手順記録処理と、請求項１ないし３のいずれか一項に記載の決済認証情報記録器における決済認証情報読出手段から決済認証情報を受け、決済手順記録処理における決済手順を読出し、決済認証情報および決済手順に基づき、決済に関する操作を行う決済操作処理とをコンピュータに実行させるためのプログラムを記録したコンピュータによって読み取り可能な記録媒体である。
【００３０】
請求項２２に記載の発明は、請求項１ないし３のいずれか一項に記載の決済認証情報記録器の認証を行うための情報を記録する記録器認証情報記録処理と、請求項５に記載の決済操作装置における記録器認証情報入力手段から記録器認証情報を受け、記録器認証情報記録処理の記録内容と照合して、決済認証情報記録器の認証を行う記録器認証処理とをコンピュータに実行させるためのプログラムを記録したコンピュータによって読み取り可能な記録媒体である。
【００３１】
請求項２３に記載の発明は、請求項４に記載の決済操作装置における決済操作手段から決済に関する情報を受けて記録する決済記録処理をコンピュータに実行させるためのプログラムを記録したコンピュータによって読み取り可能な記録媒体である。
【００３２】
【発明の実施の形態】
以下、本発明の実施の形態を図面を参照して説明する。
【００３３】
図１は、本発明の実施の形態にかかる決済システムの構成を示す機能ブロック図である。決済システム１は、ＩＣカード（決済認証情報記録器）１０、ＩＣカード利用端末（決済操作装置）２０、ＩＣカード認証装置（情報記録器認証装置）３０、インターネット４０、決済装置５０を備える。
【００３４】
なお、本発明の実施の形態は、キャッシュカードの暗証番号をインターネット経由で送って決済を行うシステムを想定している。ただし、これは単なる一例であり、例えば、クレジットカードの番号をインターネット経由で送って決済を行うシステムにも適用できる。
【００３５】
ＩＣカード（決済認証情報記録器）１０は、ＩＣカード利用端末２０に接触（あるいは近接）させられる。そして、ＩＣカード認証装置３０による認証をＩＣカード利用端末２０を介して受ける。認証が成立すれば、ＩＣカード利用端末２０にカード情報を送る。なお、ＩＣカード１０のかわりに、携帯電話あるいは携帯通信端末にＩＣカードとしての機能を持たせたものを使ってもよい。
【００３６】
ＩＣカード利用端末（決済操作装置）２０は、ＩＣカード１０を受け、ＩＣカード認証装置３０の認証をＩＣカード１０に受けさせる。認証が成立すれば、ＩＣカード１０からのカード情報を受ける。ＩＣカード利用端末２０は、受けたカード情報などを使用して、決済に関する操作を決済装置５０に対して行う。ＩＣカード利用端末２０は、例えば、決済を利用する販売者（ＩＣカード１０の利用者に商品を販売した者）等の店舗に配置されている。ＩＣカード利用端末２０は、例えば、ＩＣカード１０を認証するための機関から配布されているものである。
【００３７】
ＩＣカード認証装置（情報記録器認証装置）３０は、ＩＣカード１０の認証をＩＣカード利用端末２０を介して行う。ＩＣカード認証装置３０は、カード有効性判定部（記録器認証手段）３２、カード有効性情報記録部（記録器認証情報記録手段）３４、決済記録部３６、決済報知部３８、決済集計部３９を備える。各部の詳細は後述する。ＩＣカード認証装置３０は、例えば、ＩＣカード１０を認証するための機関に配置されている。なお、決済記録部３６、決済報知部３８、決済集計部３９は、ＩＣカード認証装置３０とは別に決済記録装置を構成してもよい。
【００３８】
インターネット４０は、ＩＣカード利用端末２０と決済装置５０を結ぶ。
【００３９】
決済装置５０は、ＩＣカード利用端末２０から操作を受け、決済を行う。決済は例えば口座振替により行われる。すなわち、ＩＣカード１０の利用者の口座から販売者の口座へ商品の代金の分を振り替える。決済装置５０は、例えば、振替対象の口座がある金融機関に配置される。
【００４０】
図２は、ＩＣカード１０の構成を示すハードウェアブロック図である。ＩＣカード１０は、ＣＰＵ１０２、ＲＯＭ１０４、メモリ１０６、インタフェース１０８を備える。なお、ＩＣはＩｎｔｅｇｒａｔｅｄ  Ｃｉｒｃｕｉｔの略である。
【００４１】
ＣＰＵ１０２は、ＲＯＭ１０４、メモリ１０６およびインタフェース１０８に接続されており、これらを制御する。ＲＯＭ１０４は、後述するＩＣカード１０の機能を実現するためのプログラムを記録しておくための読み出し専用メモリである。ＣＰＵ１２は、ＲＯＭ１０４から、かかるプログラムを読み出して動作し、ＩＣカード１０の機能を実現する。メモリ１０６は、利用者個人のカード情報を記録するためのメモリである。インタフェース１０８は、ＩＣカード１０と、ＩＣカード利用端末２０とのインタフェースである。なお、インタフェース１０８は、ＩＣカード利用端末２０と接触することにより情報の伝送を行うことができる。ただし、インタフェース１０８を非接触型とすれば、ＩＣカード利用端末２０に接近させるだけでも情報の伝送を行うことができる。
【００４２】
図３は、ＩＣカード（決済認証情報記録器）１０の構成を示す機能ブロック図である。ＩＣカード１０は、カード情報記録部（決済認証情報記録手段）１２、カード情報読出部（決済認証情報読出手段）１４、インタフェース１０８を備える。
【００４３】
カード情報記録部（決済認証情報記録手段）１２は、カード情報（決済認証情報）を記録する。本実施形態では、先に述べた通り、キャッシュカードの暗証番号をインターネット経由で送って決済を行うシステムを想定している。そこで、キャッシュカードに対応する金融機関の口座の暗証番号が、カード情報となる。このカード情報により、決済の認証が行われる。カード情報記録部１２の記録内容の一例を図４に示す。図４に示すように、各金融機関および口座番号ごとに暗証番号が記録されている。これらの暗証番号は、ＩＣカード１０の利用者個人のものである。また、利用者個人が複数の金融機関Ａ、Ｂのそれぞれに有する口座ごとに決済サービス（例えば、利用者個人の口座から販売者の口座への代金の振替）を受けることが可能である。このように複数種類の決済サービスを受けることができる。
【００４４】
なお、図４においては、暗証番号を記録するような例を示したが、他にもクレジットカード発行業者とクレジットカード番号とを記録しておくことも考えられる。この場合、クレジットカード番号がカード情報となる。なお、他にも、ＩＤ、ＰＩＮ番号、クレジットカード等の期限、デジタル証明書など色々なものがカード情報となりうる。
【００４５】
カード情報読出部（決済認証情報読出手段）１４は、決済サービスを受ける際に利用する口座についてカード情報を読出し、インタフェース１０８を介して、ＩＣカード利用端末２０に送る。
【００４６】
図５は、ＩＣカード利用端末（決済操作装置）２０の構成を示す機能ブロック図である。ＩＣカード利用端末２０は、インタフェース２２、カード認証情報入力部（記録器認証情報入力手段）２４、決済手順記録部２６、決済操作部２８を備える。
【００４７】
インタフェース２２は、ＩＣカード１０とのインタフェースである。
【００４８】
カード認証情報入力部（記録器認証情報入力手段）２４は、インタフェース２２から、ＩＣカード１０が接触（あるいは近接）した旨の信号を受けると、ＩＣカード１０の利用者に、カード認証情報の入力を促す。カード認証情報は、ＩＣカード１０自体を認証するための情報である。例えば、パスワード、ＩＣカード１０の識別番号である。ただし、ＩＣカード１０の識別番号は、インタフェース２２を介して取得してもよい。ＩＣカード１０の利用者からカード認証情報の入力を受けると、ＩＣカード認証装置３０に送る。入力を受けるためには、タッチパネル、ピンパッド（電卓状の入力機器でＩＣカード利用端末２０にコードで連結されているが、利用者の手の平にのせることができる）を使用することができる。
【００４９】
決済手順記録部２６は、各決済サービスごとの決済手順を記録する。例えば、金融機関Ａの口座を使って決済を行う場合の操作手順（例えば、「口座振替を選択」→「相手の口座番号の入力」→「暗証番号の入力」→「振替金額の入力」といったもの）、および、金融機関Ｂの口座を使って決済を行う場合の操作手順を記録する。
【００５０】
決済操作部２８は、ＩＣカード認証装置３０からＩＣカード１０の認証結果を受ける。ＩＣカード１０の認証が成立すれば、決済操作部２８は、インタフェース２２を介してＩＣカード１０に記録されたカード情報を受ける。さらに、決済手順記録部２６から決済手順を読み出す。そして、決済手順に従って決済に関する操作を決済装置５０に対して行う。このとき、カード情報（例えば、暗証番号）の入力を決済装置５０から求められるので、カード情報を決済装置５０に与える。また、決済操作が完了すると、決済情報をＩＣカード認証装置３０に送る。
【００５１】
なお、ＩＣカード利用端末２０は、販売者等の第三者から密閉されており、ＩＣカード１０の利用者および決済装置５０の側の者以外には、カード情報および決済手順がわからないようになっていることが好ましい。
【００５２】
ＩＣカード認証装置（情報記録器認証装置）３０は、カード有効性判定部（記録器認証手段）３２、カード有効性情報記録部（記録器認証情報記録手段）３４、決済記録部３６、決済報知部３８、決済集計部３９を備える（図１参照）。
【００５３】
カード有効性判定部（記録器認証手段）３２は、ＩＣカード利用端末２０から与えられたカード認証情報（パスワード、ＩＣカード１０の識別番号）と、カード有効性情報記録部３４の記録内容とを照合してＩＣカード１０の認証を行う。
【００５４】
カード有効性情報記録部（記録器認証情報記録手段）３４は、ＩＣカード１０の認証を行うための情報を記録する。カード有効性情報記録部３４の記録内容の一例を図６に示す。カード有効性情報記録部３４は、ＩＣカード１０の識別番号ごとにパスワードおよび盗難等の事故にあったことを示す事故情報を記録する。カード認証情報中のパスワードと、カード有効性情報記録部３４に記録されているパスワードが一致し、しかも、カード認証情報中の識別番号について事故情報がＮｏ（事故、例えば盗難にあっていない）ならば認証が成立する。事故情報は、ＩＣカード１０の識別番号ごとに認証の可否を示したものといえる。事故情報は、例えば、ＩＣカード１０の利用者からの届出により更新される。
【００５５】
決済記録部３６は、決済操作部２８から決済情報を受けて記録する。
【００５６】
決済報知部３８は、決済記録部３６に新たな決済情報が書き込まれた場合、決済があった旨を、ＩＣカード１０の利用者に電子メールにより報知する。
【００５７】
決済集計部３９は、ＩＣカード１０の利用者について、定期的に全ての種類の決済サービスにおける決済情報を集計する（いわゆる、「名寄せ」）。集計した内容は、決済報知部３８により定期的に電子メール等で送ってもよい。
【００５８】
図７は、決済装置５０の構成を示す機能ブロック図である。決済装置５０は、勘定部５２、口座記録部５４を有する。勘定部５２は、ＩＣカード利用端末２０から操作を受け、所定の金額をＩＣカード１０の利用者の口座から販売者の口座へ振り替える。口座記録部５４は、ＩＣカード１０の利用者の口座および販売者の口座の情報（例えば、残高）を記録する。なお、ここでは、ＩＣカード１０の利用者の口座および販売者の口座が同一の金融機関にあると仮定して説明している。異なる金融機関にある場合でも、口座振替は同様に行えることは周知であり、説明を省略する。
【００５９】
次に、本発明の実施形態の動作を図８および図９のフローチャートを参照して説明する。
【００６０】
図８は、本発明の実施形態の全体の動作を示すフローチャートである。まず、利用者は販売者の店舗に赴き商品を購入する。ここで、利用者は販売者に対して対価を支払う、すなわち決済を行う必要がある。そこで、利用者はＩＣカード１０をＩＣカード利用端末２０に接触（あるいは近接）させる（Ｓ１０）。
【００６１】
ＩＣカード１０がＩＣカード利用端末２０に接触した旨は、インタフェース２２からカード認証情報入力部２４に伝達される。すると、カード認証情報入力部２４は利用者にカード認証情報（パスワード、ＩＣカード１０の識別番号）に入力を促し、やがてカード認証情報が入力される（Ｓ１２）。なお、ＩＣカード１０の識別番号はインタフェース２２を介してＩＣカード１０から取得してもよい。
【００６２】
カード認証情報は、ＩＣカード認証装置３０に送られる。ＩＣカード認証装置３０は、カード認証情報に基づき、ＩＣカード１０の認証を行う（Ｓ１４）。
【００６３】
ここで、ＩＣカード１０の認証の動作を図９のフローチャートを参照して説明する。まず、カード有効性判定部３２は、カード認証情報中のパスワードと、カード有効性情報記録部３４に記録されているパスワードが一致するか否かを判定する（Ｓ１４２）。一致しなければ（Ｓ１４２、Ｎｏ）、認証は成立しない（Ｓ１４、Ｎｏ）。一致すれば（Ｓ１４２、Ｙｅｓ）、カード認証情報中の識別番号について事故情報がＹｅｓか否かを判定する（Ｓ１４４）。Ｙｅｓであれば（Ｓ１４４、Ｙｅｓ）、盗難等にあったものであり、認証は成立しない（Ｓ１４、Ｎｏ）。Ｎｏであれば、（Ｓ１４４、Ｎｏ）、認証が成立する（Ｓ１４、Ｙｅｓ）。認証の成否は決済操作部２８に送られる。
【００６４】
ここで、図８に戻り、認証が成立しなければ（Ｓ１４、Ｎｏ）、決済を行わず、処理を終了する。認証が成立すれば（Ｓ１４、Ｙｅｓ）、決済操作部２８は、インタフェース２２を介してＩＣカード１０に記録されたカード情報を受ける（Ｓ１６）。さらに、決済手順記録部２６から決済手順を読み出す（Ｓ１８）。そして、決済手順に従って決済に関する操作を決済装置５０に対して行う（Ｓ２０）。このとき、カード情報（例えば、暗証番号）の入力を決済装置５０から求められるので、カード情報を決済装置５０に与える。
【００６５】
このようにして決済操作が完了すると、決済操作部２８は、決済情報をＩＣカード認証装置３０に送る。ＩＣカード認証装置３０の決済記録部３６は決済情報を記録する。決済報知部３８は、決済記録部３６の更新を受け、決済があった旨を、ＩＣカード１０の利用者に電子メールにより報知する（Ｓ２２）。
【００６６】
本発明の実施形態によれば、ＩＣカード１０のカード情報記録部１２に、カード情報を複数種類、各決済サービスごとに記録するので、決済用のカード（キャッシュカード、クレジットカードなど）を一枚のＩＣカード１０に集約できる。しかも、利用者個人のカード情報がＩＣカード１０に記録されているだけなので、システム障害により多数の利用者のカード情報が一度に漏洩するということが無い。
【００６７】
さらに、カード情報読出部１４が、利用する決済サービスに応じて、カード情報を読み出すので、カード情報の使い分けを利用者が気にする必要もない。
【００６８】
また、利用する決済サービスに応じて、決済手順が異なっても、決済操作部２８が決済手順記録部２６の記録する決済手順に基づいて決済操作を行うため、決済手順が異なることを利用者が気にする必要もない。決済手順記録部２６の記録内容を各決済装置５０ごとにカスタマイズすれば、決済装置５０の決済方式の統一を待たずに自動的な決済操作を行える。
【００６９】
しかも、ＩＣカード１０の認証を行うので、ＩＣカード１０の盗用等を防止できる。なお、認証にあたっては、どの決済サービスを利用するにせよ、同一のパスワード（およびＩＣカード１０の識別番号）を入力すればよいので、利用者にとっては便利である。
【００７０】
また、決済操作が完了する度に、決済記録部３６に、決済に関する情報が記録されるため、決済の報知（Ｓ２２）や名寄せを行うことができる。
【００７１】
しかも、ＩＣカード利用端末２０は、例えば、決済を利用する販売者等の店舗に配置されているので、ＩＣカード１０を店舗等で利用できる。よって、ＩＣカード１０を、店舗等で利用できるキャッシュカードおよびクレジットカードと同じような感覚で使用できる。
【００７２】
なお、上記の実施形態において、ＣＰＵ、ハードディスク、メディア（フロッピーディスク、ＣＤ−ＲＯＭなど）読み取り装置を備えたコンピュータのメディア読み取り装置に、上記の各部分を実現するプログラムを記録したメディアを読み取らせて、ハードディスクにインストールする。このような方法でも、上記のシステムを実現できる。
【図面の簡単な説明】
【図１】本発明の実施の形態にかかる決済システムの構成を示す機能ブロック図である。
【図２】ＩＣカード１０の構成を示すハードウェアブロック図である。
【図３】ＩＣカード（決済認証情報記録器）１０の構成を示す機能ブロック図である。
【図４】カード情報記録部１２の記録内容の一例を示す図である。
【図５】ＩＣカード利用端末（決済操作装置）２０の構成を示す機能ブロック図である。
【図６】カード有効性情報記録部３４の記録内容の一例を示す図である。
【図７】決済装置５０の構成を示す機能ブロック図である。
【図８】本発明の実施形態の全体の動作を示すフローチャートである。
【図９】ＩＣカード１０の認証の動作を示すフローチャートである。
【符号の説明】
１  決済システム
１０  ＩＣカード（決済認証情報記録器）
１２  カード情報記録部（決済認証情報記録手段）
１４  カード情報読出部（決済認証情報読出手段）
２０  ＩＣカード利用端末（決済操作装置）
２４  カード認証情報入力部（記録器認証情報入力手段）
２６  決済手順記録部
２８  決済操作部
３０  ＩＣカード認証装置（情報記録器認証装置）
３２  カード有効性判定部（記録器認証手段）
３４  カード有効性情報記録部（記録器認証情報記録手段）
３６  決済記録部
３８  決済報知部
３９  決済集計部
５０  決済装置
【図１】
2004295796.tif 000003
【図２】
2004295796.tif 000004
【図３】
2004295796.tif 000005
【図４】
2004295796.tif 000006
【図５】
2004295796.tif 000007
【図６】
2004295796.tif 000008
【図７】
2004295796.tif 000009
【図８】
2004295796.tif 000010
【図９】
2004295796.tif 000011